【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】  ＡＣ電力網（１８，１５２）への接続のためのタービン発電機／モータ制御装置（１０，１５６）であって、
少なくとも一つのＡＣ発電機（１６６）と、
前記発電機（１６６）と作動的に接続された少なくとも一つのタービン（１６８）と、
前記発電機（１６６）と作動的に接続された少なくとも一つの第１のコンバータ（１４，１６０）と、
第１のコンバータ（１４，１６０）と電気商用インターフェース（１５４）との間に作動的に接続された、ＡＣ電力網への接続のための第２のコンバータ（１６，１５８）と、
第１（１４，１６０）及び第２（１６，１５８）のコンバータに作動的に接続されたＤＣバス（２４，１６２）とを備え、
タービン発電機（１２，１６８／１６６）の第１の起動モードの期間中は、電力が第２のコンバータ（１６，１５８）を介してＤＣバス（２４，１６２）へ供給され、タービン発電機（１２，１６８／１６６）の第２の発電モードの期間中は、電力が第１のコンバータ（１４，１６０）によってＤＣバス（２４，１６２）へ供給されることを特徴とするタービン発電機／モータ制御装置（１０，１５６）。
【請求項２】  前記ＤＣバス（２４，１６２）の電圧は、タービン発電機（１２，１６８／１６６）の第２モードにおいて前記第１のコンバータ（１４，１６０）によって制御されるものである、請求項１に記載の装置。
【請求項３】  前記第１（１４，１６０）及び第２（１６，１５８）のコンバータは、複数のソリッドステートスイッチ（２１４）を含むものである、請求項１又は２に記載の装置。
【請求項４】  さらに、前記第２のコンバータ（１５８）に接続されたフィルタ（１５４）を備え、当該フィルタは、高周波スイッチング成分を除去するものである、請求項３に記載の装置。
【請求項５】  前記スイッチ（２１４）は、絶縁ゲートバイポーラトランジスタからなるものである、請求項３又は４に記載の装置。
【請求項６】  前記ＡＣ発電機（１６６）は、永久磁石発電機である、請求項１乃至５のうちいずれか一項に記載の装置。
【請求項７】  前記第２のコンバータ（１６，１５８）は、電気商用インターフェース（１８，１５２）への接続のための３相接続を含むものである、請求項１乃至６のうちいずれか一項に記載の装置。
【請求項８】  さらに、前記タービン（１６８）の排出ガス温度を実質的に一定値に維持する手段（１８４）を備えている、請求項１乃至７のうちいずれか一項に記載の装置。
【請求項９】  さらに、タービン発電機（１２，１６８／１６６）を起動するのに商用電力が利用できないとき、第１（１４，１６０）及び第２（１６，１５８）のコンバータが瞬時負荷要件に合致できない自己持続動作中に、タービン（１６８）をクールダウンするためタービン（１６８）をモータリングし続けるため、又は、自己持続動作中に電気エネルギーを貯蔵するために作動停止した後に、前記第１（１４，１６０）又は第２（１６，１５８）のコンバータに電気エネルギーを供給するために、第１（１４，１６０）及び第２（１６，１５８）のコンバータのうちの少なくとも一方に作動的に接続されたエネルギー貯蔵装置（２０，１７０）を備えている、請求項１乃至８のうちいずれか一項に記載の装置。
【請求項１０】  タービン発電機（１２，１６８／１６６）を制御する方法であって、
第１のコンバータ（１４，１６０）、ＤＣバス（２４，１６２）、及び、前記タービン発電機（１２，１６８／１６６）とＡＣ電力網（１８，１５２）との間に作動的に接続された第２のコンバータ（１６，１５８）を通して、前記第１（１４，１６０）及び第２（１６，１５８）のコンバータを第１モードで動作させて自己持続動作を行わせることによって、又は、タービン発電機（１２，１６８／１６６）のクールダウン・サイクルの期間中に、前記ＡＣ電力網（１８，１５２）からの電力を前記タービン発電機（１２，１６８／１６６）に供給するステップと、
前記第１（１４，１６０）及び第２（１６，１５８）のコンバータを動作の第２モードで動作させることによって、前記タービン発電機（１２，１６８／１６６）からの電力を、前記第１のコンバータ（１２，１６８／１６６）を通して、前記ＤＣバス（２４，１６２）へ、そして、第２のコンバータ（１６，１５８）へ供給するステップと、
を含む方法。
【請求項１１】  さらに、タービン発電機（１２，１６８／１６６）を起動するための電力を供給するのにＡＣ電力網（１８，１５２）が利用できないとき、及び／又は、タービン発電機（１２，１６８／１６６）が瞬時負荷要件に合致できない自己持続動作中に、電気エネルギーを前記第１のコンバータ（１４，１６０）に供給するステップを含んでいる、請求項１０に記載の方法。
【請求項１２】  さらに、タービン発電機（１２，１６８／１６６）を起動するための電力を供給するのにＡＣ電力網（１８，１５２）が利用できないとき、タービン発電機（１２，１６８／１６６）が瞬時負荷要件に合致できない自己持続動作中に、及び／又は、自己持続動作中に電気エネルギーを貯蔵するために、第１のコンバータ（１４，１６０）に電気エネルギーを供給するためのエネルギー貯蔵装置を用意するステップを含んでいる、請求項１０又は１１に記載の方法。
【請求項１３】  前記ＤＣバス（２４，１６２）の電圧は、動作の第１モードの期間中に、第１（１４，１６０）及び第２（１６，１５８）のコンバータによって第１の手法で制御される、請求項１０乃至１２のうちいずれか一項に記載の方法。
【請求項１４】  前記第１の手法は、前記ＤＣバス（２４，１７０）の電圧をＡＣ電力網（１８，１５２）上におけるＡＣ電圧に基づいて制御するものである、請求項１３に記載の方法。
【請求項１５】  前記ＤＣバス（２４，１７０）の電圧は、動作の第２モードの期間中に、第１（１４，１６０）及び第２（１６，１５８）のコンバータによって第２の手法で制御される、請求項１０乃至１４のうちいずれか一項に記載の方法。
【請求項１６】  さらに、ＡＣ電力網（１８，１５２）に供給される電力をフィルタにかけるステップを含んでいる、請求項１０乃至１５のうちいずれか一項に記載の方法。
【請求項１７】  複数のエネルギーコンポーネント（１２，１８，２０）に電力を分配するための電源制御装置（１０）であって、
ＤＣバス（２４）と、
それぞれが電力切換えシステム（２８）を有し、それぞれが前記エネルギーコンポーネント（１２，１８，２０）のうちの一つと前記ＤＣバス（２４）との間に接続されている複数の電力コンバータ（１４，１６，２２）と、
前記電力切換えシステム（２８）のそれぞれに対して制御を行い、かつ、前記電力コンバータ（１４，１６，２２）のそれぞれを異なる電力コンバータ動作モードに合わせて異なる形態に再構成する処理システム（３０，３２）とを備え、
前記電力コンバータ（１４，１６，２２）は、前記ＤＣバス（２４）の電圧レベルを調整するために前記処理システム（３０，３２）によって構成可能であり、かつ、電源制御装置（１０）の特定の全体的動作モードのために使用されている前記処理システム（３０，３２）は、前記ＤＣバス（２４）の電圧レベルを調整するためにただ一つの電力コンバータ（１４，１６，２２）を選択的に構成する、
ことを特徴とする電源制御装置（１０）。
【請求項１８】  複数のエネルギーコンポーネント（１２，１８，２０）への電力の分配を制御する方法であって、
電力コンバータ（１４，１６，２２）をＤＣバス（２４）と前記エネルギーコンポーネント（１２，１８，２０）のそれぞれとの間に接続するステップと、
前記電力コンバータ（１４，１６，２２）のそれぞれを異なる電力コンバータ動作モードに合わせて異なる形態に再構成することを含む、前記電力コンバータ（１４，１６，２２）のそれぞれを構成する仕方を制御するステップとを含み、
前記電力コンバータ（１４，１６，２２）は、前記ＤＣバス（２４）の電圧レベルを調整するために構成可能であり、
さらに、電源制御装置（１０）の特定の全体的動作モードでは、前記ＤＣバス（２４）の電圧レベルを調整するためにただ一つの電力コンバータ（１４，１６，２２）を選択的に構成することを含むことを特徴とする方法。
【請求項１９】  タービン発電機（１６６／１６８）、ＤＣバス（１７０）、負荷（１５２）、タービン発電機（１６６／１６８）とＤＣバス（１６２）との間に接続された第１の双方向電力コンバータ（１６０）、ＤＣバス（１６２）と負荷（１５２）との間に接続された第２の双方向電力コンバータ、そしてシステムを制御するためのプロセッサ（１８４）を含むタービン発電機システムを制御する方法であって、
タービン発電機（１６８／１６６）によって発電される必要のある電力を決定するとともに、必要とされる電力の設定値を設定する工程と、
必要とされる電力設定値からタービン発電機（１６８／１６６）の必要とされるタービン（１６８）速度を決定してタービン発電機（１６８／１６６）の出力電力を調整するとともに、必要とされるタービン（１６８）速度の設定値を設定する工程と、
ＤＣバス（１６２）からタービン発電機（１６８／１６６）へ注入される電流又は発電機（１６６）からＤＣバス（２４）へ引き出される電流を変えることによって、第１の双方向電力コンバータ（１６０）を制御してタービン（１６８）速度を必要とされるタービン（１６８）速度の設定値に維持する工程と、
必要とされるタービン速度設定値からタービンの排出ガス温度の設定値を決定する工程と、
タービン発電機（１６８／１６６）への燃料流量を変えて排出ガス温度をタービン排出ガス温度設定値となるよう調整する工程と、
を含むことを特徴とする方法。